【手続補正書】
【提出日】平成17年6月29日(2005.6.29)
【手続補正１】
【補正対象書類名】特許請求の範囲
【補正対象項目名】全文
【補正方法】変更
【補正の内容】
【特許請求の範囲】
【請求項１】
その一部分が毛髪が切断される皮膚表面に向かって配置されるようになっている構造と、
毛髪を充分に切断可能な温度に加熱される１つまたはそれ以上の加熱要素を備えたヒートジェネレーターであって、前記少なくとも１つの加熱要素が前記一部分に並べられて前記皮膚に接触するようになっているものと、
皮膚にダメージを与えるのに充分な時間単一のエリアが連続して加熱されるのを防ぐように前記ヒートジェネレーターを制御するコントローラーと、
を有する毛髪切除装置。
【請求項２】
前記コントローラーは速度ディテクターを有することを特徴とする、請求項１に記載の装置。
【請求項３】
速度ディテクターによって、前記皮膚に対する前記装置の速度が上昇すると前記ヒートジェネレーターが前記加熱要素の温度を上昇させ、
前記皮膚に対する前記装置の速度が低下すると前記加熱要素の温度を低下させることを特徴とする、請求項２に記載の装置。
【請求項４】
前記ヒートジェネレーターは前記１つまたはそれ以上の加熱要素に対してパルス状の加熱を行うことを特徴とする、請求項１に記載の装置。
【請求項５】
１つまたはそれ以上の加熱要素は、１回のオン−オフサイクルに付き１０から１００ミリ秒の間加熱されることを特徴とする、請求項４に記載の装置。
【請求項６】
加熱要素の加熱は１から１００Ｈｚのパルス頻度で繰り返されることを特徴とする、請求項４に記載の装置
【請求項７】
前記コントローラーは速度ディテクターを有することを特徴とする、請求項４から請求項６のいずれかに記載の装置。
【請求項８】
速度ディテクターによって、前記皮膚に対する前記装置の速度が上昇すると前記ヒートジェネレーターはパルスの繰り返し頻度を上昇させるようになり、
前記皮膚に対する前記装置の速度が低下するとパルスの繰り返し頻度を低下させるようになることを特徴とする、請求項７に記載の装置。
【請求項９】
速度ディテクターによって、前記皮膚に対する前記装置の速度が上昇すると前記ヒートジェネレーターは前記パルスが連続している間のパルスの幅を増加させ、
前記皮膚に対する前記装置の速度が低下すると前記パルスが連続している間のパルスの幅を減少させるようになることを特徴とする、請求項７または請求項８に記載の装置。
【請求項１０】
速度ディテクターによって、速度が特定の値以上に上昇したことが前記速度ディテクターによって検出された時に、前記ヒートジェネレーターは連続加熱を行うようになることを特徴とする、請求項７から請求項９のいずれかに記載の装置。
【請求項１１】
速度ディテクターによって、前記皮膚に対する前記装置の速度が上昇した時に、前記ヒートジェネレーターは前記加熱要素の温度を上昇させるようになり、
前記皮膚に対する前記装置の速度が低下した時に、前記加熱要素の温度を低下させるようになることを特徴とする、請求項７から請求項１０のいずれかに記載の装置。
【請求項１２】
前記コントローラーは、モーションディテクターを有し、モーションディテクターは、前記ヒートジェネレーターが皮膚に対して移動している時は前記ヒートジェネレーターがオンになるように、また前記ヒートジェネレーターが皮膚に対して移動してない時は前記ヒートジェネレーターがオフになるように、前記ヒートジェネレーターを制御することを特徴とする、請求項１または請求項４に記載の装置。
【請求項１３】
１つまたはそれ以上の加熱要素は、リボン状であり、リボン状の加熱要素の面部は前記皮膚とほぼ垂直であることを特徴とする、請求項１から請求項１２のいずれかに記載の装置。
【請求項１４】
１つまたはそれ以上の加熱要素は２つまたはそれ以上の加熱要素であることを特徴とする、請求項１から請求項１３のいずれかに記載の装置。
【請求項１５】
２つまたはそれ以上の加熱要素によって形成される面は、皮膚に平行であることを特徴とする、請求項１４に記載の装置。
【請求項１６】
２つまたはそれ以上の加熱要素によって形成される面は、皮膚に垂直であることを特徴とする、請求項１４に記載の装置。
【請求項１７】
２つまたはそれ以上の加熱要素によって形成される面は、皮膚に平行でも垂直でもないことを特徴とする、請求項１４に記載の装置。
【請求項１８】
２つまたはそれ以上の加熱要素の断面積または断面形状は異なることを特徴とする、請求項１４から請求項１７のいずれかに記載の装置。
【請求項１９】
２つまたはそれ以上の加熱要素のうちの少なくとも２つによって供給される熱は、異なるパルス頻度またはパルス幅で供給されることを特徴とする、請求項１４から請求項１８のいずれかに記載の装置。
【請求項２０】
２つまたはそれ以上の加熱要素のうちの少なくとも２つの温度は異なることを特徴とする、請求項１４から請求項１９のいずれかに記載の装置。
【請求項２１】
皮膚に対して配置されるようになっている前記一部分は、皮膚表面と接触する２つまたはそれ以上の皮膚押圧器であり、前記１つまたはそれ以上の加熱要素は、前記皮膚押圧要素の２つまたはそれ以上の列の間に配置されることを特徴とする、請求項１から請求項２０のいずれかに記載の装置。
【請求項２２】
前記２つまたはそれ以上の皮膚押圧器は、皮膚に垂直であることを特徴とする、請求項２１に記載の装置。
【請求項２３】
少なくとも１つの加熱要素は、皮膚押圧要素の１つまたはそれ以上の列に平行であることを特徴とする、請求項２１または請求項２２のいずれかに記載の装置。
【請求項２４】
前記少なくとも１つの加熱要素は、皮膚押圧要素の１つまたはそれ以上の列とは平行ではないことを特徴とする、請求項２１から請求項２３のいずれかに記載の装置。
【請求項２５】
前記少なくとも１つの加熱要素は、皮膚押圧要素の２つまたはそれ以上の列とは平行ではないことを特徴とする、請求項２１に記載の装置。
【請求項２６】
少なくとも１つの加熱要素は、移動中に１本またはそれ以上の毛髪と接触した時に皮膚に対する移動の方向と反対方向に変位するように構成されていることを特徴とする、請求項２１から請求項２５のいずれかに記載の装置。
【請求項２７】
前記加熱要素が前記皮膚押圧器の１つに接触するのに充分に量変位した時に、皮膚押圧器に接触して冷却されることを特徴とする、請求項２６に記載の装置。
【請求項２８】
皮膚表面に向かって配置されている前記一部分は、前記構造から分離し、また前記一部分は１つまたはそれ以上のマウント部材を介して前記構造に設置されることを特徴とする、請求項１から請求項２７のいずれかに記載の装置。
【請求項２９】
前記マウント部材は、柔軟なポストであるかばね荷重式のマウント部材であることを特徴とする、請求項２８に記載の装置。
【請求項３０】
前記ポストまたはマウント部材は前記加熱要素に電気的に接続されていることを特徴とする、請求項２９に記載の装置。
【請求項３１】
コントローラーは、加熱要素を皮膚に沿って移動させるモーターを有し、その結果、皮膚は焼灼されるレベルまでは加熱されないことを特徴とする、請求項１に記載の装置。
【請求項３２】
加熱要素は、回転軸を持つ非連続的な円筒面が形成される細長い加熱要素であることを特徴とする、請求項３１に記載の装置。
【請求項３３】
加熱要素の軸と垂直な円筒の軸から加熱要素の軸は放射状に伸びていることを特徴とする、請求項３２に記載の装置。
【請求項３４】
コントローラーは細長い加熱要素を円筒の軸回りに回転させ、この結果、加熱要素は周期的に皮膚表面と接触しまたこの接触が解除されることを特徴とする、請求項３１から請求項３３のいずれかに記載の装置。
【請求項３５】
加熱要素を皮膚に接触させ、
前記加熱要素は毛髪を充分に切断出来またその位置で皮膚を焼灼できるピーク温度に加熱され、
皮膚が焼灼される前に前記位置での皮膚の加熱を停止する、
毛髪を切除する方法。
【請求項３６】
前記停止することは、加熱要素への熱の供給を停止することを含む、請求項３５に記載の方法。
【請求項３７】
前記停止することは、前記装置の前記皮膚に対する移動量が少ないことをモーションディテクターが検出した時に、前記モーションディテクターによって行われることを特徴とする、請求項３５または請求項３６に記載の方法。
【請求項３８】
停止することは、前記毛髪切除装置の前記皮膚に対する移動が少ないことを速度ディテクターが検出した時に、前記速度ディテクターによって行われることを特徴とする、請求項３５または請求項３６に記載の方法。
【請求項３９】
停止することは、皮膚を焼灼するのに充分な時間、皮膚を焼灼するような位置に留まらないよう、皮膚に沿って加熱要素を移動させることを有する、請求項３５に記載の方法。